【手続補正書】
【提出日】平成17年7月13日(2005.7.13)
【手続補正１】
【補正対象書類名】明細書
【補正対象項目名】特許請求の範囲
【補正方法】変更
【補正の内容】
【特許請求の範囲】
【請求項１】
タービン(200)に動作上接続されたタービンコントローラ(210)と、
前記タービンコントローラ(210)に動作上接続され、前記タービン(200)に対してローカルに配置される第１のコンピュータシステムと、
前記第１のコンピュータシステムとデータ交換し、前記タービン(200)から遠隔に配置された当該第２のコンピュータシステム(240)とを備え
前記第１のコンピュータシステムは、前記タービン(200)の燃焼ダイナミクスと排気量のうちの少なくとも１つに関するデータを前記第２のコンピュータシステムに(240)送信することができ、
前記第２のコンピュータシステム(240)は、前記第１のコンピュータシステムから送信されたデータに応じてユーザ入力を受信することができ、前記タービンコントローラが前記タービン(200)の燃料スプリットの設定を調整することができるように、前記ユーザ入力を反映する制御データを前記第１のコンピュータシステムに送るタービン調整システム。
【請求項２】
前記第１のコンピュータシステムと第２のコンピュータシステム(240)はネットワーク接続を介してデータ交換する、請求項１のシステム。
【請求項３】
前記第１のコンピュータシステムは現場のモニター(250)を備え、前記第２のコンピュータシステム(240)はワークステーション(24１、２43)を有するローカルエリアネットワークを備え、前記第１のコンピュータシステムは、前記現場のモニター(250)を介して前記ワークステーション(24１、２43)とデータ交換できる、請求項２のシステム。
【請求項４】
前記現場のモニター(250)は、第１のプロトコルを使って前記タービンコントローラ(210)とデータ交換を行い、前記現場のモニター(250)は、前記第１のプロトコルと異なる第２のプロトコルを使って第２のコンピュータシステム(240)とデータ交換を行う、請求項３のシステム。
【請求項５】
前記タービン(200)に動作上接続されたタービンコントローラ(210)を提供し、
前記第１のコンピュータシステムを前記タービンコントローラ(210)に動作上接続し、
第１のコンピュータシステムを前記タービン(200)に対してローカルに配置し、
前記タービン(200)の燃焼ダイナミクスと排気量のうちの少なくとも１つに関するデータを前記第１のコンピュータシステムから、前記タービン(200)から遠隔に配置された第２のコンピュータシステム(240)に送信し、
前記第２のコンピュータシステム(240)から前記第１のコンピュータシステムに、前記第２のコンピュータシステム(240)へのユーザ入力を反映する制御データを送信し、
前記タービン(200)の燃料スプリットの設定の調整を可能にするように、前記第１のコンピュータシステムによって受信した前記制御データを処理するタービン調整方法。
【請求項６】
前記第１のコンピュータシステムと前記第２のコンピュータシステム(240)との間でデータ交換することは、ネットワーク接続を介して達成される、請求項５の方法。
【請求項７】
前記第１のコンピュータシステムは、第１のプロトコルを使って前記タービンコントローラ(210)とデータ交換を行い、前記第１のプロトコルと異なる第２のプロトコルを使って第２のコンピュータシステム(240)とデータ交換を行う、請求項６の方法。
【請求項８】
第１のタービン(200)と、
前記第１のタービン(200)に動作上接続された第１のタービンコントローラ(210)と、
第１のタービンコントローラ(210)に動作上接続され、ネットワーク接続を介して前記第１のタービン(200)の燃焼ダイナミクスと排気量のうちの少なくとも１つに関するデータを遠隔の位置に送信し、
前記タービン(200)の燃料スプリットの設定の調整を可能にするように、前記第１のタービン(200)の燃焼ダイナミクスと排気量のうちの少なくとも１つに関するデータの送信に応じて、前記ネットワーク接続を介して受信した前記制御データを処理する第１のコンピュータシステムと
を備えるシステム。
【請求項９】
前記タービン(200)から遠隔の位置にあって、前記ネットワーク接続を介して前記第１のコンピュータシステムから送られたデータを受信する第２のコンピュータシステム(240)をさらに備える、請求項８のシステム。
【請求項１０】
第２のタービン(200a)と、前記第２のタービン(200a)と前記第１のコンピュータシステムに動作上接続された第２のタービンコントローラ(210a)とをさらに備える、請求項８のシステム。
【請求項１１】
少なくとも１つのタービン(200)を調整する方法であって、
第１のタービン(200)を備え、
第１のタービンコントローラ(210)を第１のタービン(q00)に動作上接続し、
前記第１のタービン(200)の燃焼ダイナミクスと排気量のうちの少なくとも１つに関するデータを前記第１のタービン(200)から遠隔の位置にネットワーク接続を介して送信し、
前記第１のタービン(200)の燃焼ダイナミクスと排気量のうちの少なくとも１つの送信データに応じて、前記ネットワーク接続を介して制御データを受信し、
前記タービン(200)の燃料スプリットの設定の調整を可能にするように、受信した前記制御データを処理する
調整方法。
【請求項１２】
前記第１のタービン(200)から遠隔の位置にデータを送ることは、
前記タービン(200)から遠隔に位置する第２のコンピュータシステム(240)にデータを送ることを含む、請求項１１の方法。
【請求項１３】
前記第１のコンピュータシステムから送られたデータを第２のコンピュータシステム(240)が受けとり、
処理されたデータを評価して、前記第１のタービン(200)の動作に対してなされる必要な変更事項を決定し、
必要な変更事項を前記第１のタービン(200)の現場にいる者に対して送り、前記第１のタービン(200)の現場にいる者に対して送られた必要な変更事項に基づいて前記タービン(200)の設定を変える、請求項１２の調整方法。
【請求項１４】
前記ネットワーク接続を介して前記データを送ることは、イントラネットとインターネットとＶＰＮのうちの１つを介してデータを送る、請求項５又は１１の調整方法。
【請求項１５】
第２のタービン(200a)を備え、
第２のタービンコントローラ(210a)を前記第２のタービン(200a)に動作上接続し、
ネットワーク接続を介して、前記第１のタービン(200)から遠隔の位置に前記第２のタービン(200a)の特性に関するデータを送ることを備え、前記第１のタービン(200)の位置もまた前記第２のタービン(200a)から遠隔である、請求項１１乃至１４のいずれか一項の調整方法。
【請求項１６】
第１のタービン(200)と、
前記第１のタービン(200)に動作上接続された第１のタービンコントローラ(210)と、
前記第１のタービンコントローラ(210)に動作上接続され、前記第１のタービン(200)に対してローカルに配置された第１のコンピュータシステムと、
第２のタービン(300)と、
前記第２のタービン(300)に動作上接続された第２のタービンコントローラ(3１0)と、
前記第２のタービンコントローラ(310)に動作上接続され、前記第２のタービン(300)に対してローカルに配置された第２のコンピュータシステムと、
前記第１のコンピュータシステムと第２のコンピュータシステムとデータ交換する第３のコンピュータシステム(240)であって、前記第１と第２のタービン(200、300)から遠隔に配置された当該第３のコンピュータシステム(240)とを備え、
前記第１のコンピュータは、前記第１のタービン(200)の燃焼ダイナミクスと排気量のうちの少なくとも１つに関するデータを第３のコンピュータシステム(240)に送り、前記第２のコンピュータシステムは、前記第２のタービン(300)の燃焼ダイナミクスと排気量のうちの少なくとも１つに関するデータを第３のコンピュータシステム(240)に送ることができ、且つ
前記第３のコンピュータシステム(240)はユーザ入力を受けとり、前記ユーザ入力を反映する第１のコンピュータシステムと第２のコンピュータシステムに制御データを送ることができ、第１のコンピュータシステムは制御データを前記第１のタービンコントローラ(210)に供給して、前記第１のタービン(200)を調整することができ、前記第２のコンピュータシステムは制御データを前記第２のタービンコントローラ(3１0)に供給して第２のタービン(300)を調整することができるシステム。
【請求項１７】
前記第１と第２のタービン(200、300)は互いに遠隔に配置される、請求項１６のシステム。
【請求項１８】
前記第3のコンピュータシステム(240)は、ネットワーク接続を介して前記第１のコンピュータシステムと第２のコンピュータシステムとデータ交換を行う、請求項１６のシステム。
【請求項１９】
前記ネットワーク接続は、イントラネットやインターネットやＶＰＮを備える、請求項１、請求項８又は請求項１６のシステム。
【手続補正２】
【補正対象書類名】明細書
【補正対象項目名】０００８
【補正方法】変更
【補正の内容】
【０００８】
従って、エンジニアが遠隔の位置からタービンを調整して、生産性を改善できることは有益である。
【特許文献１】特開２００１−０７３８０４号
【手続補正３】
【補正対象書類名】明細書
【補正対象項目名】０００９
【補正方法】変更
【補正の内容】
【０００９】
【発明の概要】
本発明の模範的な一実施形態のタービン調整システムは、動作上タービンに接続されたタービンコントローラと、動作上タービンコントローラに接続され、ローカルにタービンに配置された第１のコンピュータシステムと、タービンから遠隔に配置された第１のコンピュータシステムとデータ交換を行う第２のコンピュータシステムとを備える。第１のコンピュータシステムと第２のコンピュータシステムは、イントラネットやインターネットや事実上の個人的なネットワーク（Vertial Private Network: ＶＰＮ）などのネットワーク接続によってデータ交換を行う。第１のコンピュータシステムは現場のモニターを備え、第２のコンピュータシステムはワークステーションを含むローカルエリアネットワークを備え、第１のコンピュータシステムは、現場のモニターを介してワークステーションとデータ交換を行うことができる。現場のモニターは、第１のプロトコルを使ってタービンコントローラとデータ交換を行い、第１のプロトコルと異なる第２のプロトコルを使って第２のコンピュータシステムとデータ交換を行う。第１のコンピュータシステムは、タービンの燃焼ダイナミクスや排気量などのタービン特性に関するデータを第２のコンピュータシステムに送ることができる。第２のコンピュータシステムは、システムユーザからの入力情報を受けとり、タービン燃料スプリットに関する制御データを送り、システムユーザからの入力情報を第１のコンピュータシステムに反映することができる。第１のコンピュータシステムは、制御データをタービンコントローラに供給して、制御データに基づいてタービンを調整することができる。